【手続補正書】
【提出日】平成17年8月4日(2005.8.4)
【手続補正１】
【補正対象書類名】明細書
【補正対象項目名】全文
【補正方法】変更
【補正の内容】
【書類名】  明細書
【特許請求の範囲】
【請求項１】
本体内に吸込口と吹出口とを結ぶ送風路を有し、
前記送風路に、送風機と、第一と第二の熱交換器を備えた空気調和機において、
前記第一と第二の熱交換器による熱交換を行わない空気流通路を前記第一と第二熱交換器が近接する箇所に設け、
前記空気流通路に開閉部材を設け、
前記開閉部材により前記空気流通路を開閉するようにしたことを特徴とする空気調和機。
【請求項２】
本体内に吸込口と吹出口とを結ぶ送風路を有し、
前記送風路に、送風機と、第一と第二の熱交換器を備えた空気調和機において、
前記第一と第二の熱交換器に間隙を設け、
前記間隙に開閉部材を設け、
前記開閉部材により前記間隙を開閉するようにしたことを特徴とする空気調和機。
【請求項３】
前記開閉部材が、回動自在に軸支され先端に重合部を有する一対の仕切片によりなることを特徴とする請求項２記載の空気調和機。
【請求項４】
前記一対の仕切片の開時の回動方向を、各々前記第一の熱交換器と前記第二の熱交換器に向かう最短方向としてなることを特徴とする請求項３記載の空気調和機。
【請求項５】 
前記開閉部材が、前記第一の熱交換器あるいは前記第二の熱交換器のどちらか一方に回動自在に軸支され、他方の熱交換器の端部に重合する重合部を有する仕切片によりなることを特徴とする請求項２記載の空気調和機。
【請求項６】
開閉部材を駆動する駆動装置からの動力を伝達する歯車と、
前記一対の仕切片の一端にそれぞれ設けられた歯車とを備え、
それぞれの仕切片の回動方向が同じであることを特徴とする請求項４記載の空気調和機。
【請求項７】
前記仕切片を開閉する回動装置を、前記仕切片の端部に設けてなることを特徴とする請求項３乃至請求項５記載の空気調和機。
【発明の詳細な説明】
【０００１】
【発明の属する技術分野】本発明は、空気調和機に係わり、詳しくは熱交換器と空気流路の構成に関する。
【０００２】
【従来の技術】図６は、従来型の空気調和機の一例を示す側断面図である。
【０００３】従来の空気調和機１は、図に示すように、本体正面側の前面部２ａの上方、下方に、各々形成された第一の吸込口２ａ１と吹出口２ａ２と、上面部２ｂに形成された第二の吸込口２ｂ１と、前記第一、第二の吸込口２ａ１、２ｂ１から空気を吸引する送風機３と、主として前記前面部２ａから前記送風機３に向かう空気の流れ中に配設された第一の熱交換器４ａと、主として前記上面部２ａから前記送風機３に向かう空気の流れ中に配設された第二の熱交換器４ｂとを具備してなる構造であった。
【０００４】しかしながら、前記空気調和機１は、冷房運転時に吹出温度が約１３°から１８°Ｃと低くなり、室温が安定時において冷気に長時間当たると体調をくずしたり、冷気落ちにより足元が冷えたりする不具合を生じるおそれがある問題を有していた。
【０００５】
【発明が解決しようとする課題】本発明は、上記従来型の問題点に鑑み発明されたものであって、空気調和機の冷房運転時の吹出温度を上げ、冷え過ぎを防止し快適性を向上した空気調和機を提供することを目的とするものである。
【０００６】
【課題を解決するための手段】上記の課題を解決するため、本体内に吸込口と吹出口とを結ぶ送風路を有し、前記送風路に、送風機と、第一と第二の熱交換器を備えた空気調和機において、前記第一と第二の熱交換器による熱交換を行わない空気流通路を設け、前記空気流通路に開閉部材を設け、前記開閉部材により前記空気流通路を開閉するようにした。また、間隙に開閉部材を設け、開閉部材により間隙を開閉するようにした。
【０００７】そして、前記開閉部材が、回動自在に軸支され先端に重合部を有する一対の仕切片によりなるようにした。また、前記一対の仕切片の開時の回動方向を、各々前記第一の熱交換器と前記第二の熱交換器に向かう最短方向となるようにした。また、前記開閉部材が、前記第一の熱交換器あるいは前記第二の熱交換器のどちらか一方に回動自在に軸支され、他方の熱交換器の端部に重合する重合部を有する仕切片によりなるようにした。
【０００８】そして、駆動装置からの動力を伝達する歯車と、前記一対の仕切片の一端にそれぞれ設けられた歯車とを備え、それぞれの仕切片の回動方向が同じであるようにした。また、前記仕切片を開閉する回動装置を、前記仕切片の端部に設けてなるようにした。
【０００９】
【発明の実施の形態】図１は、本発明の一実施例を示す空気調和機の開閉部材閉時における側断面図、図２は、本発明の一実施例を示す空気調和機の開閉部材開時における側断面図、図３（ａ）は本発明の開閉部材と回動装置を示す分解斜視図、（ｂ）は要部断面図である。本発明の実施例を添付図面を参照して詳細に説明する。なお、従来と同じ部分の符号は同一とする。
【００１０】以下に、本発明を図に示す一実施例に基づいて説明すると、１は空気調和機、２はケーシング、３は送風機、４ａは第一の熱交換器、４ｂは第二の熱交換器、５、６は開閉部材、７は回動装置である。
【００１１】本体正面側の前面部２ａの上方、下方に、各々形成された第一の吸込口２ａ１と吹出口２ａ２と、上面部２ｂに形成された第二の吸込口２ｂ１と、前記第一、第二の吸込口２ａ１、２ｂ１から空気を吸引する送風機３と、主として前記前面部２ａから前記送風機３に向かう空気の流れ中に配設された第一の熱交換器４ａと、主として前記上面部２ｂから前記送風機３に向かう空気の流れ中に、前記第一の熱交換器４ａと間隙を在して配設された第二の熱交換器４ｂとを具備して空気調和機１を構成する。
【００１２】ここで、前記第一の熱交換器４ａと前記第二の熱交換器４ｂの間隙に、前記第一の熱交換器４ａと前記第二の熱交換器４ｂの各々の両側板４ａ１、４ｂ１の隣接端に設けた支持部４ａ２、４ｂ２に軸支される支軸５ｂ，６ｂを両端に有し、回動自在に軸支され、先端に継合部５ａ１、６ａ１を有する一対の仕切片５ａ、６ａを有する開閉自在な開閉部材５、６を配設してなるようにする。また、前記仕切片５ａ、６ａの開時の回動方向を、各々前記第一の熱交換器４ａと前記第二の熱交換器４ｂの側面に向かう最短方向としてなるようにする。次いで、前記仕切片５ａ、６ａを開閉する回動装置７について説明する。同回動装置７は、歯車７ａ、７ｂ、７ｃとパルスモータ７ｄによりなり、前記仕切片の支軸５ｂ、６ｂ端部に設けてなるようにする。
【００１３】そして、前記パルスモータ７ｄの駆動軸は、前記歯車７ｃに連結され同歯車７ｃを回動させる。それとともに、同歯車７ｃと噛み合わせられた歯車７ａ、７ｂは、同一方向に回動し、各々支軸５ｂ、６ｂ端部に連結されているので、前記開閉部材５、６を同一方向に回動させる。さらに、前記仕切片５ａ、６ａの回動角度を、前記パルスモータ７ｄを駆動するパルス数により予め設定可能にしている。
【００１４】ここで、本発明の作用について説明する。上記の構成において、前記第一の熱交換器４ａと前記第二の熱交換器４ｂの間隙に、前記第一の熱交換器４ａと前記第二の熱交換器４ｂの各々の両側板４ａ１、４ｂ１の隣接端に設けた支持部４ａ２、４ｂ２に軸支される支軸５ｂ，６ｂを両端に有し、回動自在に軸支され、先端に継合部５ａ１、６ａ１を有する一対の仕切片５ａ、６ａを有する開閉自在な開閉部材５、６を配設してなるので、同開閉部材５、６を開閉することにより、主として前記上面部２ｂから前記送風機３に向かう空気の流れ中に、前記第二の熱交換器４ｂを通らず直接前記吹出口２ａ２に向かう室内空気のバイパス路が形成される。
【００１５】さらに、前記仕切片５ａ、６ａの回動角度を、前記パルスモータ７ｄを駆動するパルス数により予め設定可能にしているので、室内空気の流入量を調節することができる。このため、冷房運転時の冷房能力を低下させずに吹出温度を上げることができ、温度調整も可能である。
【００１６】図４は、本発明の他の実施例を示す空気調和機の側断面図である。この実施例のように、前記開閉部材８が、前記第一の熱交換器４ａの両側板の隣接端に設けた支持部に軸支される支軸８ｂを両端に有し、回動自在に支軸８ｂにより軸支され、先端に他方の熱交換器４ｂの隣接端に対応する重合部８ａ１を有する仕切片８ａによりなるようにしてもよい。あるいは、図には示さないが、図４における前記開閉部材８が、前記第二の熱交換器４ｂの両側板の隣接端に設けた支持部に軸支される支軸を両端に有し、隣接端に回動自在に軸支され、先端に他方の熱交換器４ａの隣接端に対応する重合部８ａ１を有する仕切片８ａによりなるようにしてもよい。
【００１７】一方、図５は、本発明の他の実施例を示す空気調和機の側断面図である。この実施例の場合のように、前記第二の熱交換器４ｂを逆Ｖ字形に折り曲げ、前記第一の熱交換器４ａを略く字形とし、両者の一部を対向させるようにし、前記第一の熱交換器４ａと前記第二の熱交換器４ｂの間に、前記第一の熱交換器４ａと前記第二の熱交換器４ｂの各々の両側板の隣接端に設けた支持部に軸支される支軸８ｂを両端に有し、回動自在に軸支され、先端に継合部５ａ１、６ａ１を有する一対の仕切片５ａ、６ａを有する開閉自在な開閉部材５、６を配設してなるようにしてもよい。このように、本発明は、前記第一の熱交換器４ａ、前記第二の熱交換器４ｂの形状、配置については拘泥しない。
【００１８】
【発明の効果】本発明の空気調和機によると、本体正面側の前面部の上方、下方に、各々形成された第一の吸込口と吹出口と、上面部に形成された第二の吸込口と、前記第一、第二の吸込口から空気を吸引する送風機と、主として前記前面部から前記送風機に向かう空気の流れ中に配設された第一の熱交換器と、主として前記上面部から前記送風機に向かう空気の流れ中に、前記第一の熱交換器と間隙を在して配設された第二の熱交換器とを具備してなる空気調和機において、前記第一の熱交換器と前記第二の熱交換器の間隙に、開閉自在な開閉部材を配設してなるようにした。この結果、空気調和機の冷房運転時の冷房能力を低下させずに吹出温度を上げ、冷え過ぎを防止し快適性を向上した空気調和機を提供することができる。
【図面の簡単な説明】
【図１】本発明の一実施例を示す空気調和機の開閉部材閉時における側断面図である。
【図２】本発明の一実施例を示す空気調和機の開閉部材開時における側断面図である。
【図３】（ａ）は本発明の開閉部材と回動装置を示す分解斜視図、（ｂ）は要部断面図である。
【図４】本発明の他の実施例を示す空気調和機の開閉部材閉時における側断面図である。
【図５】本発明の他の実施例を示す空気調和機の開閉部材閉時における側断面図である。
【図６】従来型の空気調和機の一例を示す側断面図である。
【符号の説明】
１ 空気調和機
２ ケーシング
２ａ 前面部
２ａ１ 第一の吸込口
２ａ２ 吹出口
２ｂ 上面部
２ｂ１ 第二の吸込口
３ 送風機
４ａ 第一の熱交換器
４ａ１ 側板
４ａ２ 保持部
４ｂ 第二の熱交換器
４ｂ１ 側板
４ｂ２ 保持部
５ 開閉部材
５ａ 仕切片
５ａ１重合部
５ｂ 支軸
６ 開閉部材
６ａ 仕切片
６ａ１ 重合部
６ｂ 支軸
７ 回動装置
７ａ 歯車
７ｂ 歯車
７ｃ 歯車
７ｄ パルスモータ
８ 開閉部材
８ａ 仕切片
８ａ１ 重合部
８ｂ 支軸